(57)【要約】【課題】プリズムシートの凹凸面の凹凸を埋めるパターンを形成した従来のプリズムシートを使用する場合に、より一層の改ざんに対する抵抗性を付与することを課題とするものである。【解決手段】透明シート１２にプリズム１４、プリズム１４を埋める透明パターン層１５が順に形成された再帰反射パターンシート１１を、必要に応じて、接着剤層２７Ａおよび透明シート２８を介し、接着剤層２７Ｂにより、隠しパターン層が積層された基材３２上に積層して真偽判定体１とした。再帰反射パターンおよび顕像手段により顕像化された隠しパターンを見ることができる。【選択図】        図４
2005125683.tif 000002
【特許請求の範囲】
【請求項１】
透明シートの片面に凹凸を有し、前記凹凸をパターン状に埋める透明パターン層が積層されて構成された真偽判定媒体が、基材上に積層された隠しパターン層上に積層されていることを特徴とする真偽判定体。
【請求項２】
第１の透明シートの片面に凹凸を有し、前記凹凸をパターン状に埋める透明パターン層、および第２の透明シートが積層されて構成された真偽判定媒体が、基材上に積層された隠しパターン層上に積層されていることを特徴とする真偽判定体。
【請求項３】
請求項１または請求項２記載の前記真偽判定媒体に接着剤層が積層されていることを特徴とする真偽判定媒体貼着用シート。
【請求項４】
請求項１または請求項２記載の前記真偽判定媒体に剥離性シートが積層されていることを特徴とする真偽判定媒体転写用シート。
【発明の詳細な説明】
【技術分野】
【０００１】
本発明は改ざんが困難で、真正性を判定するのに適した真偽判定体、真偽判定媒体貼着用シート、および真偽判定媒体転写用シートに関するものでもある。
【背景技術】
【０００２】
例えば、経済的な価値の高い高額商品やＩＤ手段として用いることにより価値を生じ得るクレジットカード、金券類等には、それらの真正性を証明する（もしくは真偽を判定し得る）ための手段が講じられていることが多い。真正性を証明する代表的な手段として、ホログラムや回折格子をラベル化したものが多く用いられている。なお、以下において、ホログラムや回折格子を含めて「ホログラム」と言い、また、それらをラベル化したものを「ホログラムラベル」と言うこととする。
【０００３】
ホログラムラベルは、その製造に高度な技術を要するため、もともと高い偽造防止性を有しているが、既に多数のホログラムラベルが出回っており、ホログラムラベルの製造技術自体は知られていることから、改ざんに対するより一層の高度な抵抗性が求められるようになってきている。そこで、ホログラムラベルの改良と共に、他の手段で真正性を証明することの新たな試みも進められている。
【０００４】
そのような新たな試みの一つとして、例えば、断面が三角形のプリズムを多数配列した凹凸を背面に有するプリズムシートを用い、その凹凸面をプリズムシートの素材と屈折率がほぼ近い素材でパターン状に埋めると、凹凸の無い側から観察したときに、凹凸表面が埋められた部分では光が透過し、埋められてない部分では観察側からの入射光が反射する選択的な再帰反射を起こすため、裏面の凹凸を埋めたパターンに応じた再帰反射パターンが観察されるので、このようなシートを真正性の判定の必要な書類や身分証明書等に透明オーバーレイとして使用することが提案されている。（特許文献１）。
【特許文献１】特表平１０−５０８５４９号公報。
【０００５】
特許文献１記載の技術によれば、回折格子をパターン化したものに似た外観のパターンを有する真偽判定媒体が得られ、製造方法的にも複雑なため、一定の偽造防止性を有するものが得られるが、やはり一層の改ざんに対する抵抗性を必要とする。
【発明の開示】
【発明が解決しようとする課題】
【０００６】
従って、本発明においては、プリズムシートの凹凸面の凹凸を埋めるパターンを形成した従来のプリズムシートを使用する場合に、より一層の改ざんに対する抵抗性を付与することを課題とするものである。
【課題を解決するための手段】
【０００７】
発明者の検討によれば、プリズムシートの場合であれば、凹凸面の凹凸を埋めるパターンを形成した従来のプリズムシートを単に基材に貼り付けるのに代えて、基材上に真偽判定用手段である万線パターン層をさらに介して積層することにより、通常の状態では従来のプリズムシートを貼り付けた場合と同様な外観を有しているが、万線を施した透明シートを重ねることにより、万線パターン層が有するパターンを可視可能とすることができ、本発明に到達することができた。
【０００８】
課題を解決する第１の発明は、透明シートの片面に凹凸を有し、前記凹凸をパターン状に埋める透明パターン層が積層されて構成された真偽判定媒体が、基材上に積層された隠しパターン層上に積層されていることを特徴とする真偽判定体に関するものである。
【０００９】
また、第２の発明は、第１の透明シートの片面に凹凸を有し、前記凹凸をパターン状に埋める透明パターン層、および第２の透明シートが積層されて構成された真偽判定媒体が、基材上に積層された隠しパターン層上に積層されていることを特徴とする真偽判定体に関するものである。
【００１０】
第３の発明は、第１または第２の発明の前記真偽判定媒体に接着剤層が積層されていることを特徴とする真偽判定媒体貼着用シートに関するものである。
【００１１】
第４の発明は、第１または第２の発明の前記真偽判定媒体に剥離性シートが積層されていることを特徴とする真偽判定媒体転写用シートに関するものである。
【発明の効果】
【００１２】
第１の発明によれば、目に見える再帰反射パターンに加えて、隠しパターンを有しているので、外観を似せて作成しても、顕像化手段を用いることにより真偽の判定が可能な真偽判定体を提供することができる。
【００１３】
第２の発明によれば、第１の発明と同様な効果に加え、再帰反射パターンシートに別の透明シートが積層してあるので、部分的に圧力がかかった場合に、再帰反射パターンシートの凹凸が埋まって、再帰反射パターンが損なわれることを抑制可能な真偽判定媒体を提供することができる。また、上記の別の透明シートに印刷を施す場合には、印刷を精密に施すことが可能である。
【００１４】
第３の発明によれば、第１または第２の発明における真偽判定媒体の非観察側に接着剤層が積層されているので、そのまま他の物品に貼付けにより適用することが容易な真偽判定媒体貼着用ラベルを提供することができる。
【００１５】
第４の発明によれば、第１または第２の発明における真偽判定媒体の非観察側に剥離性シートが積層されているので、他の物品に転写により適用することが容易な真偽判定媒体転写用シートを提供することができる。
【発明を実施するための最良の形態】
【００１６】
図１は本発明の真偽判定体の例、およびそれを用いた真偽判定の様子の概要を示す模式図である。図１（ａ）に示すように、本発明の真偽判定体１は、基材２上に、隠しパターン層３が積層されており、隠しパターン層３上に、図中「ＡＢＣ」の英文字の配列である再帰反射パターン４ａを有する真偽判定媒体４が積層されたもので、図示の例では、隠しパターン層３は基材２上の一部に積層されており、また、真偽判定媒体４は、隠しパターン層３上の一部に積層されている。隠しパターン層３の隠しパターン３ａは、基材２上であって、真偽判定媒体４が積層されている部分と真偽判定媒体４が積層されていない部分とにまたがる破線で囲んだ長方形の区域に位置している。隠しパターン３ａは、例えば万線パターンである。このような本発明の真偽判定体１は、隠しパターン３ａが万線パターンであるとき、図１（ｂ）に示すように、万線を施した透明シートを顕像手段５として、真偽判定体１上に重ねることにより、隠しパターン３ａが顕像化されたパターン３ａ’（図中「ＤＥＦ」の英文字の配列である。）を観察することができるものである。
【００１７】
図２は本発明の真偽判定媒体から再帰反射パターンが生成するしくみを示す模式図である。図２（ａ）に示す例では、透明シート１２の図中の上面に、断面が三角形で図面手前側から奥側に向かう方向に伸びた透明な柱状のプリズム１４が多数配列して積層したことによる凹凸１３が構成されており、従って、多数のＶ字状谷が、図の左右方向に密に配列した形状の凹凸１３が構成されているとも言える。図２（ａ）に示す例では、プリズム１４の断面形状は、透明シート２に接している以外の二辺の長さが等しい二等辺三角形を想定して描いているが、断面形状は正三角形、直角三角形（二等辺のものも含む。）等のいずれの三角形でもよい。なお、この明細書における「上下」とは、図を基準にするものとする。
【００１８】
図２（ａ）に示す例においては、各Ｖ字状谷のうち、左端から数えて３つのＶ字状谷および右端から数えて３つのＶ字状谷が透明素材で埋められており、ただし、Ｖ字状谷の手前側および奥側に、透明素材で埋められていない部分を残している。また、図の中央部の３つのＶ字状谷は、透明素材で埋められてなく、このようにして、凹凸１３が透明素材でパターン状に埋められた区域からなる透明パターン層１５が形成されている。透明パターン層１５を構成する透明素材と、透明シート１２およびプリズム１４を構成する素材の光の屈折率は近似していることが好ましい。なお、図２（ａ）におけるハッチは、単に透明パターン層１５の端面を判別しやすくするためのもので、断面を示すものではない。
【００１９】
図２（ｂ）は、図２（ａ）を引用して説明した凹凸１３および凹凸１３を埋める透明パターン層１５を有する再帰反射パターンシート１１の光学的な作用を示す図であり、図２（ａ）に示すものに対応して、凹凸１３の左右両端から３つ目までのＶ字状谷を埋める透明パターン層１５が形成されている。今、透明シート１２の図中の下方から上方に向かって、透明シート１２に垂直な方向（矢印方向）に光を入射させると、上面に透明パターン層１５が積層されている部分に入射した光は、透明シート１２、プリズム１４、および透明パターン層１５を屈折せずに透過するので、この部分は光の透過部１６となる。また、上面に透明パターン層１５が積層されていない中央部分では、光は透明シート１２からプリズム１４に入射した後、プリズム１４と空気との界面で全反射し、プリズム１４内での反射を繰り返した後、入射した方向とは逆の方向に出射するので、この部分は再帰反射部１７となり、全体として、再帰反射パターンシート１１を構成する。
【００２０】
従って、図１に示したように、「ＡＢＣ」の英文字の配列である再帰反射パターン４ａを生成させるには、再帰反射パターンシート１１に、「ＡＢＣ」の英文字の配列パターンを想定すると、その逆パターン（ネガパターン）を透明パターン層１５として形成しておけばよく、このようにすることにより、透明パターン層１５の無い部分パターン（ポジパターン）の部分において再帰反射が起き、再帰反射パターン４ａが生成する。
【００２１】
以上の説明では、再帰反射パターンシート１１を、透明シートにプリズムを配列した、言わばプリズムシートをベースに例示したが、本発明においては再帰反射パターンが生成すれば、ベースとしてはいかなる形状の凹凸を有するシートを用いてもよい。たとえば、プリズムシートのプリズムに代えて、レンチキュラーレンズ（かまぼこレンズ）が配列したシートであってもよい。プリズムシートおよびレンチキュラーレンズは、二次元のレンズであるが、三次元の形状を有する微小なレンズが多数密に配列したシートを用いても再帰反射パターンを生成することができる。例えば、球体の一部をなす形状や円錐形状、三角錐、四角錐等の形状の微小レンズが縦横に多数配列したシートを用いてもよい。なお、透明シートとプリズムや上記の微小レンズ等の光学的特徴を生じる層とは、互いに別の層である方が、透明シートを基材として製造するのに適しており、また、型を用いることにより、任意の形状の凹凸が再現性よく形成できる利点があるが、両者は一体であってもよく、要は、透明シートの片面に凹凸を有していればよい。凹凸がプリズム１４であるとき、プリズムの高さは１μｍ〜１００μｍ程度であり、より好ましくは、５μｍから２５μｍ程度であり、ピッチはプリズムの断面形状にもよるが、プリズムの高さと同程度であるか、もしくは数分の１〜数倍程度である。
【００２２】
再帰反射パターンシート１１が、上記のようなプリズムシートをベースとしているときは、各プリズムの二面のいずれか一方を光反射層もしくは光散乱層としておくと、光反射層もしくは光散乱層とされた方から眺めると光が反射し、他方から眺めると、下層が透視可能となる効果を生じさせることもできる。
【００２３】
図３は本発明の真偽判定体における隠しパターンおよび隠しパターンが顕像化される様子を示す図であり、図示の例における隠しパターンは、万線を用いて形成した万線パターン２１である。一般に万線とは、図３（ｂ）に示すような、有限の幅を持った線が、等しいピッチで配列した集合体を指し、特に断らない限り、線幅をｗとするとき、ピッチが２ｗであるものである。なお、万線の線は、任意の色で着色されていてよいが、ここでは説明上、黒色に着色された黒線とみなして説明する。
【００２４】
図３（ａ）に例示するように、基材シート２２等の上に、万線を用いて構成した万線パターン(隠しパターン)２５が形成されて万線パターンシート（隠しパターンシート）２１が構成されている。万線パターン２５の背景２３が右上がりの万線からなっており、また、英文字「Ａ」である文字２４の線の部分が右下がりの万線から構成され、二種類の万線は、図上では直交しているが、必ずしも直交していなくてよい。ここで、背景２３と文字２４とでは、単位面積当たりに線が占める割合は同じで、たとえば５０％であるので、背景２３と文字２４の部分の濃度の差は無く、従って、万線の幅が狭くなるにつれ、文字２４の視認性は低下して見えなくなり、隠しパターンを与える。万線パターンシート２１の隠しパターンが通常の観察条件で見えないようにするための万線の好ましいピッチは、３０ｃｍ程度の観察距離を想定すれば、１０本／ｍｍ〜２０本／ｍｍ程度である。
【００２５】
図３（ｂ）は、万線パターン２５を顕像化させるための顕像手段２６を例示する図で、図示の例では、顕像手段２６は、右下がりの一様な万線を施した透明シートであり、図３（ａ）を引用して説明した万線パターンシート２１の文字２４を構成する万線と同じピッチ、線幅および線の傾きを持つものである。この一様な万線を施した透明シートからなる顕像手段は、次のようにして万線パターンで構成された隠しパターン２５の顕像化を行なうことができる。なお、顕像手段２６である万線シートは左右が逆の、即ち、右上がりの一様な万線で構成されたものでもよい。また、図３（ａ）に示すような万線パターンシート２１を二枚用いて重ねても、顕像化を行なうことができるので、二枚の万線パターンシートは互いに他を顕像手段として利用することができる。
【００２６】
図３（ｃ）および図３（ｄ）は、万線パターンシート２１上に顕像手段２６である万線シートを重ねた様子を示す図である。図３（ｃ）は、文字２４を構成する万線の線と、万線シートの万線の線とが１／２ピッチずれるように重ねたもので、文字２４は黒色で隙間の無い状態（線が占める割合が１００％である。）となり、背景２３は互いに直交する二種類の万線が重なった結果、線が占める割合が７５％となって、文字２４の濃度が背景２３の濃度よりも高くなり、文字２４が視認可能となる。また、図３（ｄ）は、文字２４を構成する万線の線と、万線シートの万線の線とを同位相で重ねたもので、文字２３は万線シートの線のみで構成され、線が占める割合は５０％となり、背景２３においては線が占める割合が７５％となるから、文字２４の濃度が背景２３よりも低くなり、文字２４が視認可能となる。なお、万線シートの万線を万線パターンシート２１の背景２３と同じものとしても、上記と同様に万線パターンシートと、万線シートとを重ねることにより、文字２４を顕像化することができる。
【００２７】
図３を引用した例では、隠しパターン２５が傾きの異なる二種類の万線を用いて構成されているが、傾きが同一で位相が互いに１／２ピッチずれた二種類の万線を用いても隠しパターンを構成することができ、ピッチ、位相、もしくは傾きが異なる万線どうしを組み合わせればよい。また、万線を構成する線は、直線状のものに限ることなく、曲線状のものであってもよく、例えば、波線状であってもよい。
【００２８】
図示しないが、隠しパターンは縦横一定ピッチの配列の網点（Ａ）と、網点（Ａ）とは位相の異なる網点（Ｂ）とを用いても構成でき、この場合、顕像手段は網点（Ａ）のみからなるもので構成すればよい。また、顕像手段として万線を用いることもできる。
【００２９】
上記のような再帰反射パターンシートおよび隠しパターンは、任意の基材上に積層し、積層された基材の真偽を判別可能として、その基材の偽造に対する抵抗性を向上させることができる。
【００３０】
図４は、以上のような再帰反射パターンシートおよび隠しパターンを適用した本発明の真偽判定体を例示する図である。図示の例の真偽判定体３１は、基材３２上に隠しパターン層３３が積層された上に、再帰反射パターンシートおよび隠しパターンを有する真偽判定媒体４１が積層されたもので、真偽判定媒体４１は、観察側（図中の上側）から透明シート１２、プリズム１４等で構成された凹凸１３、凹凸１３をパターン状に埋める透明パターン層１５が順に積層されているものであり、さらに透明パターン層１５の非観察側に接着剤層２７Ａ、透明シート２８、および接着剤層２７Ｂが順に積層されて構成されたものである。
【００３１】
基材３２は、例えば、背景技術において例示したような、経済的な価値の高い高額商品やＩＤ手段として用いることにより価値を生じ得るクレジットカード、金券類等であり、必ずしもシート状であるとは限らない。基材３２上には、必要に応じて、種々の印刷が施されていてもよい。種々の印刷は、デザイン的な必要性や内容表示の必要性により施すものであり、基材３２が隠しパターン層３３を伴なうときは、見た人が隠しパターンの存在に気づきにくくなるカモフラージュ効果を生じさせることができる。なお、基材３２は、印刷以外に種々の情報記録手段を備えていてもよい。
【００３２】
図４を引用して説明したような真偽判定体３１を形成するには、図５に示すように、上記の構成中、透明シート１２から接着剤層２７Ｂまでの積層構造を有するラベル体裁の真偽判定媒体４１を用い、基材３２の隠しパターン層３３上に、積層することにより行なうことができる。真偽判定媒体４１の最も非観察側の接着剤層２７Ｂは好ましくは粘着剤層であり、その場合、非観察側にさらに剥離性シートが積層されていることが好ましい。このように、非観察側に接着剤層２７Ｂを伴なう真偽判定媒体は真偽判定媒体貼着用シートである。なお、再帰反射パターンシート１１よりも非観察側に透明シート２８を有するときは、この透明シート２８を対象として、必要に応じて、種々の印刷が施されていてもよい。種々の印刷は、前段落で述べた基材上におけるものと同様な利点を生じさせることができる。印刷する面としては、透明シート２８の表裏のいずれでもよい。
【００３３】
このように再帰反射パターンシート１１とは別の透明シート２８を有する場合には、透明パターン層に接する接着剤層２７Ａが透明シート２８で保護されているので、部分的に圧力がかかった場合に、再帰反射パターンシート１１の凹凸が埋まってしまい、再帰反射パターンが損なわれることを抑制できる。また、透明シート２８を利用して印刷を施す場合には、透明シート２８として平滑なものを用い、これを被印刷対象とするので、印刷を精密に施すことができる。また、再帰反射パターンシート１１と透明シート２８との間には接着剤層２７Ｂが介在して両シートが互いに積層されているので、両シートを強固に接着させることが可能となる。
【００３４】
真偽判定媒体貼着用シートとしては、上記の透明シート１２から接着剤層２８Ｂまでの積層構造のうち、接着剤層２８Ａおよび透明シート２８を省いたものに相当するものでもよい。
【００３５】
図４を引用して説明したような真偽判定体３１を形成するには、上記のような真偽判定媒体貼着用シートを用いて行なう以外に、真偽判定媒体転写用シートを形成して用いることによっても行なえる。真偽判定媒体転写用シートは、上記のような真偽判定媒体貼着用シートの観察側の露出面に、剥離性シートを剥離可能に積層したものに相当する。このとき、非観察側の接着剤層２７Ｂは積層しておく方が便利であるが、被着体に接着剤層を積層する場合には、省くことができる。
【００３６】
図４を引用して説明した透明シート１２から透明シート２８までの積層構造は、各層のうちの一部を省略したり、積層の順序を変更することができる。
【００３７】
既に述べたように、再帰反射パターンシート１１を構成する透明シート１２と凹凸（図４では代表的にプリズム１４を図示してある。）とは、別個の層ではなく、一体であってもよい。
【００３８】
本発明において、再帰反射パターンシート１１に用いる透明シート１２は、凹凸１３を直接型付けによって設ける場合の加工の対象であるか、もしくは凹凸１３を別の層として設ける場合の加工の対象となる層であり、これらの加工の際に必要とされる機械的強度を有し、耐熱性および耐溶剤性を備え、真偽判定媒体を他の物品に適用する際に必要とされる耐熱性を備えたものであることが好ましい。従って、透明シート１２としては、これらの性能を備えた各種のプラスチックフィルムを用いることが好ましく、例えば２軸延伸ポリエチレンテレフタレートフィルム（以降、単にＰＥＴフィルムと言う。）等を使用することができるが、他の透明プラスチックフィルムであってもよい。ＰＥＴフィルムを透明シート１２として使用する場合、その厚みは、５μｍ〜２５０μｍが好ましく、上記の必要な特性を備え、加工適性、および熱転写の際の熱効率などを考慮すると、１０μｍ〜５０μｍがより好ましい。また、透明シート２８としても、上記と同様のプラスチックフィルムを用いることができる。
【００３９】
プリズム１４のように透明シート１２とは別体の凹凸１３を設けるときは、所定の形状の逆型形状を表面に有する型板を準備し、型板との間を間隔をあけて配置された透明シート１２との間に透明な紫外線硬化性樹脂組成物等を一面に充填し、紫外線照射等により硬化させた後、透明シート１２とその表面に積層された硬化物とを剥離することにより、凹凸１３を形成することができる。また、透明シート１２そのものに凹凸１３を付与する場合には、所定の形状の逆型形状を表面に有する型板と、平板との間に透明シート１２をはさみ、透明シート１２が熱変形する温度に加熱しつつ加圧し、その後、解放することにより、凹凸を付与する成型によって形成することができる。いずれの凹凸１３の形成においても、型板はローラ状であってもよく、成型における平板もローラで置き換え得る。
【００４０】
透明パターン層１５は、上記のようにして得られた凹凸１３を有する面に、凹凸１３を埋めるようにして形成するもので、凹凸１３の高さにもよるが、凹凸１３をならすのに必要な厚みの層を形成する必要があり、シルクスクリーン印刷法等の、盛り量を大きくすることが可能な手法によることが好ましい。透明パターン層１５は、上記の凹凸１３を構成する素材に近似した光の屈折率を持つ透明樹脂で構成することが好ましい。
【００４１】
接着剤層２７Ａ、２７Ｂは種々の素材で構成することができ、感熱接着剤も用いることが可能であるが、粘着剤を用いることもできる。接着剤層２７Ａは、透明パターン層１５の無い部分では凹凸の頂上と透明シート２１とを接着させる必要があるので、経時的に接着力が向上する粘着剤の方が好ましいからである。また、接着剤層２７Ｂは、被着体の表面が凹凸である制約は無いので、感熱接着剤もしくは粘着剤のいずれで構成してもよい。接着剤層２７Ａ、２７Ｂの厚みは、１μｍ〜５０μｍ程度である。
【００４２】
接着剤層２７Ａ、２７Ｂを構成し得る感熱接着剤としては、例えば、エチレン／酢酸ビニル共重合樹脂、ポリアミド樹脂、ポリエステル樹脂、ポリエチレン樹脂、エチレン／イソブチルアクリレート共重合樹脂、ブチラール樹脂、ポリ酢酸ビニル及びその共重合樹脂、セルロース誘導体、ポリメチルメタクリレート樹脂、ポリビニルエーテル樹脂、ポリウレタン樹脂、ポリカーボネート樹脂、ポリプロピレン樹脂、エポキシ樹脂、もしくはフェノール樹脂を挙げることができ、ＳＢＳ、ＳＩＳ、ＳＥＢＳ、もしくはＳＥＰＳ等の熱可塑性エラストマー、又は反応ホットメルト系樹脂等からなるものを挙げることができる。    
【００４３】
接着剤層２７Ａ、２７Ｂを構成し得る粘着剤としては、アクリル樹脂（共重合体を含む。）、アクリル酸エステル樹脂（共重合体を含む。）、スチレン／ブタジエン共重合体、ポリエステル樹脂、塩化ビニル／酢酸ビニル共重合体、天然ゴム、カゼイン、ゼラチン、ロジンエステル、テルペン樹脂、フェノール系樹脂、スチレン系樹脂、クロマンインデン樹脂、ポリビニルエーテル樹脂、シリコーン樹脂、α−シアノアクリレート系樹脂、シリコーン系樹脂、マレイミド系樹脂、スチロール系樹脂、ポリオレフィン系樹脂、レゾルシノール系樹脂、ポリビニルエーテル系樹脂、もしくはシリコーン系樹脂等からなるものを挙げることができる。なお、粘着剤を用いるときは、粘着剤層の露出面に、粘着剤層の保護用として剥離シートを積層することが好ましく、剥離シートとしては、紙やプラスチックフィルムに離型処理を施したものを使用することができる。
【００４４】
本発明の真偽判定媒体１は、（１）純正品の認証が意義を持つ種々の商品、例えば、プリンタ消耗品、電子機器、電気機器、コンピュータ製品、医薬品、もしくは化学品等、（２）商品そのものが真正品であることを消費者に強く求められる高級ブランド品、例えば、時計、衣類、バッグ、宝石、スポーツ用品、もしくは化粧品、（３）本人確認の手段（ＩＤ証）、例えば、パスポート、運転免許証、保険証、もしくは図書館カード等、または（４）経済秩序を保つ上で真正品であることが求められる金券、例えば、商品券、ギフト券、もしくはプリペイドカー等の用途に用いると価値が高い。
【実施例１】
【００４５】
厚みが５０μｍのＰＥＴフィルム上に、紫外線硬化性樹脂液と凹凸型を重ね、紫外線を照射して紫外線硬化性樹脂液を硬化させ、断面が直角三角形であり、ピッチ；５０μｍ、高さ；２５μｍのプリズムが多数配列した凹凸形状を有する凹凸シートを作成した。この凹凸シートの凹凸形状を有する側に、シルクスクリーン印刷法により、凹部を埋めて表面が平らになるようにして文字及び記号のパターン印刷を行ない、凹凸シートの凹凸形状を有する側とは反対側から眺めたときに、印刷された文字および記号の部分が反射して見える再帰反射パターンシートを得た。
【００４６】
上記のものとは別に、厚みが２５μｍのＰＥＴフィルムに、ポリエステル樹脂系の感熱接着剤を厚みが５μｍになるよう塗布した後、上記で得た再帰反射パターンシートのパターン印刷面側に熱ラミネートした。熱ラミネートは、加熱したニップローラ間を、ローラ加熱温度；１５０℃、速度；０．８ｍ／ｍｉｎ条件で通過させることにより行なった。熱ラミネートしたものの厚みが２５μｍのＰＥＴフィルムの側の露出面に、ポリエステル樹脂系の感熱接着剤を厚みが５μｍになるよう塗布し、ラベルの体裁の真偽判定媒体を作成した。
【実施例２】
【００４７】
紙基材の印刷物の印刷面に、オフセット印刷法により、万線パターンからなる隠しパターンを印刷し、隠しパターン印刷面に、上記により作成されたラベル体裁の真偽判定媒体を貼り付けて真偽判定体（真偽判定媒体と基材との積層体）としたところ、再帰反射パターンシートに由来する、反射性部分からなる文字および記号を観察することができ、また、隠しパターンを構成する万線と共通なピッチの万線を形成した万線シートを重ねることにより、隠しパターンを顕像化して観察することができた。また、プラスチック基材の印刷物の印刷面に隠しパターンを印刷して真偽判定媒体を貼り付けても同様の結果を得た。
【図面の簡単な説明】
【００４８】
【図１】真偽判定体、および真偽判定の様子を示す模式図である。
【図２】真偽判定媒体から再帰反射パターンが生成するしくみを示す模式図である。
【図３】真偽判定体の隠しパターンおよび顕像化の様子を示す模式図である。
【図４】真偽判定体の好ましい実施例を示す図である。
【図５】真偽判定媒体の好ましい実施例を示す図である。
【符号の説明】
【００４９】
１……真偽判定媒体
２……基材
３……隠しパターン層（３ａ；隠しパターン）
４……真偽判定媒体（４ａ；再帰反射パターン）
５……顕像手段（万線シート）
１１……再帰反射パターンシート
２１……万線パターンシート
３１……真偽判定体
【図１】
2005125683.tif 000003
【図２】
2005125683.tif 000004
【図３】
2005125683.tif 000005
【図４】
2005125683.tif 000006
【図５】
2005125683.tif 000007